【手続補正書】
【提出日】平成17年6月14日(2005.6.14)
【手続補正１】
【補正対象書類名】特許請求の範囲
【補正対象項目名】全文
【補正方法】変更
【補正の内容】
【特許請求の範囲】
【請求項１】
第１のアンテナと、
第２のアンテナと、
該第１のアンテナと該第２のアンテナとに接続されたスイッチングモジュールと、
該スイッチングモジュールを介して該第１のアンテナと該第２のアンテナとに接続された受信器モジュールと、
該スイッチングモジュールを介して該第１のアンテナと該第２のアンテナとに接続された送信器モジュールと、
を備えたワイヤレス通信デバイスであって、
該スイッチングモジュールにより、該第１のアンテナおよび該第２のアンテナの受信特性に応じて該第１のアンテナおよび該第２のアンテナの一方に該受信器モジュールを接続し、
該スイッチングモジュールにより、該第１のアンテナおよび該第２のアンテナの送信特性に応じて該第１のアンテナおよび該第２のアンテナの一方に該送信器モジュールを接続する、ワイヤレス通信デバイス。
【請求項２】
前記スイッチングモジュールが第１のスイッチと第２のスイッチとを含み、
前記送信器モジュールが、該第１のスイッチを介して前記第１のアンテナと前記第２のアンテナとに接続され、
前記送信器モジュールが、該第２のスイッチを介して該第１のアンテナと該第２のアンテナとに接続される、請求項１に記載のワイヤレス通信デバイス。
【請求項３】
前記送信器モジュールと、前記受信器モジュールと、前記スイッチイングモジュールとに接続されたコントローラをさらに備えた、請求項１に記載のワイヤレス通信デバイス。
【請求項４】
前記送信特性が、前記送信器モジュールによって採用された特定の送信周波数に対して決定される、請求項３に記載のワイヤレス通信デバイス。
【請求項５】
前記送信特性が、マルチパス環境の効果を含む、請求項３に記載のワイヤレス通信デバイス。
【請求項６】
前記送信特性が、信号強度、信号明瞭度、およびビットレートエラーのうちの少なくとも１つを含む、請求項３に記載のワイヤレス通信デバイス。
【請求項７】
前記受信特性が、前記受信器モジュールによって採用された特定の受信周波数に対して決定される、請求項３に記載のワイヤレス通信デバイス。
【請求項８】
前記受信特性が、マルチパス環境の効果を含む、請求項７に記載のワイヤレス通信デバイス。
【請求項９】
前記受信特性が、信号強度、信号明瞭度、およびビットレートエラーのうちの少なくとも１つを含む、請求項７に記載のワイヤレス通信デバイス。
【請求項１０】
前記コントローラがモバイル局モデム（ＭＳＭ）を含む、請求項１に記載のワイヤレス通信デバイス。
【請求項１１】
前記第１のアンテナが前記第２のアンテナと同一の方向に配置されていない、請求項１に記載のワイヤレス通信デバイス。
【請求項１２】
前記第１のアンテナが前記第２のアンテナに対してほぼ直交するように配置されている、請求項１に記載のワイヤレス通信デバイス。
【請求項１３】
第１のアンテナと、
第２のアンテナと、
該第１のアンテナおよび該第２のアンテナの送信特性に応じて、該第１のアンテナおよび該第２のアンテナの一方を、情報の送信に用いるために選択する第１の手段と、
該第１のアンテナおよび該第２のアンテナの受信特性に応じて、該第１のアンテナおよび該第２のアンテナの一方を、情報の受信に用いるために選択する第２の手段と、
を備えた、ワイヤレス通信デバイス内のダイバーシチアンテナを提供するシステム。
【請求項１４】
前記第１のアンテナおよび前記第２のアンテナのうち、前記第１の手段によって選択された一方に送信器モジュールを接続する手段と、
該第１のアンテナおよび該第２のアンテナのうち、前記第２の手段によって選択された一方に受信器モジュールを接続する手段と、
をさらに備えた、請求項１３に記載のシステム。
【請求項１５】
特定のマルチパス環境において情報を受信および送信する方法であって、
（ａ）該特定のマルチパス環境における第１のアンテナおよび第２のアンテナの送信特性に応じて、該第１のアンテナおよび該第２のアンテナの一方を情報の送信に用いるために選択する工程と、
（ｂ）該特定のマルチパス環境における該第１のアンテナおよび該第２のアンテナの受信特性に応じて、該第１のアンテナおよび該第２のアンテナの一方を情報の受信に用いるために選択する工程と、
（ｃ）該第１のアンテナおよび該第２のアンテナのうち工程（ａ）で選択された一方に該送信すべき情報を接続する工程と、
（ｄ）該第１のアンテナおよび該第２のアンテナのうち工程（ｂ）で選択された一方に該受信すべき情報を接続する工程と、
を包含する方法。
【請求項１６】
（ａ）ワイヤレス通信デバイスの受信器モジュールに接続された、該ワイヤレス通信デバイスの第１のアンテナの受信特性を監視する工程と、
（ｂ）該受信器モジュールに接続された、該ワイヤレス通信デバイスの第２のアンテナの受信特性を評価する工程と、
（ｃ）該第１のアンテナに代えて該第２のアンテナに該受信器モジュールを接続する工程と、
を包含する、ワイヤレス通信方法。
【請求項１７】
前記評価する工程が、前記第１のアンテナの前記受信特性が特定の閾値に達したときにのみ評価する工程を包含する、請求項１６に記載の方法。
【請求項１８】
前記評価する工程が、前記第１のアンテナに代えて前記第２のアンテナに前記受信器モジュールを接続することにより該第２のアンテナをテストする工程を包含する、請求項１６に記載の方法。
【請求項１９】
前記接続する工程が、前記第２のアンテナの前記受信特性が前記第１のアンテナの前記受信特性よりも良好であるときにのみ接続する工程を包含する、請求項１６に記載の方法。
【請求項２０】
（ｄ）前記第１のアンテナおよび前記第２のアンテナの送信特性を評価する工程と、
（ｅ）該第１のアンテナおよび該第２のアンテナのうち、該第２のアンテナの前記受信特性により密接に合致する送信特性を有する一方に、前記ワイヤレス通信デバイスの送信器モジュールを接続する工程と、
をさらに包含する、請求項１６に記載の方法。
【請求項２１】
（ａ）ワイヤレス通信デバイスの送信器モジュールに接続された、該ワイヤレス通信デバイスの第１のアンテナの送信特性を監視する工程と、
（ｂ）該送信器モジュールに接続された、該ワイヤレス通信デバイスの第２のアンテナの送信特性を評価する工程と、
（ｃ）該第１のアンテナに代えて該第２のアンテナに該送信器モジュールを接続する工程と、
を包含する、ワイヤレス通信方法。
【請求項２２】
前記評価する工程が、前記第１のアンテナの前記送信特性が特定の閾値に達したときにのみ評価する工程を包含する、請求項２１に記載の方法。
【請求項２３】
前記評価する工程が、前記第１のアンテナに代えて前記第２のアンテナに前記送信器モジュールを接続することにより該第２のアンテナをテストする工程を包含する、請求項２１に記載の方法。
【請求項２４】
前記接続する工程が、前記第２のアンテナの前記送信特性が前記第１のアンテナの前記送信特性よりも良好であるときにのみ接続する工程を包含する、請求項２１に記載の方法。
【請求項２５】
前記監視する工程が、前記送信特性の決定に用いるワイヤレス通信ネットワークからフィードバック情報を受信する工程を包含する、請求項２１に記載の方法。
【請求項２６】
（ａ）ワイヤレス通信デバイスの第１のアンテナおよび第２のアンテナ用に、該ワイヤレス通信デバイスの範囲内のベース局のリストを生成する工程と、
（ｂ）該ワイヤレス通信デバイスの受信器モジュールに接続された該第１のアンテナの受信特性を監視する工程と、
（ｃ）該監視された受信特性が悪化した場合、該リスト上の該第１のアンテナと該ベース局との間、および該リスト上の該第２のアンテナと該ベース局との間の受信特性をテストする工程と、
（ｄ）特定のアンテナおよび特定のベース局の該テストされた受信特性が該監視された受信特性よりも良好である場合、該受信器モジュールを該特定のアンテナに接続し、該ワイヤレス通信デバイスをワイヤレスで該特定のベース局に接続する工程と、
を包含するワイヤレス通信方法。
【請求項２７】
（ａ）ワイヤレス通信デバイスの第１のアンテナおよび第２のアンテナ用に、該ワイヤレス通信デバイスの範囲内のベース局のリストを生成する工程と、
（ｂ）該ワイヤレス通信デバイスの送信器モジュールに接続された該第１のアンテナの送信特性を監視する工程と、
（ｃ）該監視された送信特性が悪化した場合、該リスト上の該第１のアンテナと該ベース局の少なくとも１つとの間、および該リスト上の該第２のアンテナと該ベース局の少なくとも１つとの間の送信特性をテストする工程と、
（ｄ）特定のアンテナおよび特定のベース局の該テストされた受信特性が該監視された送信特性よりも良好である場合、該送信器モジュールを該特定のアンテナに接続し、該ワイヤレス通信デバイスをワイヤレスで該特定のベース局に接続する工程と、
を包含するワイヤレス通信方法。